(57)【要約】【課題】投影面に合わせた最適な設定を自動的に行なうことができるプロジェクタを提供する。【解決手段】投影面１２に備えられた電子タグ１３に記録されているＩＤ情報を読取る非接触電子タグ読取部６と、ＩＤ情報と関連付けられた投影条件情報を保存する投影条件情報保存部５と、投影面１２に投影する画像データを処理する画像データ処理部１０と、画像データ処理部１０により処理された画像データを投影面１２に投影する画像データ投影部１１と、読取部６により読取られたＩＤ情報と関連する投影条件情報を投影条件情報保存部５より検索し、検索された投影条件情報に基づいて画像を処理するように画像データ処理部１０を制御する投影条件情報制御部４と、投影条件情報の保存の操作を行う操作パネル２と、を備えている。【選択図】図２
2013101207.tif 000002
【特許請求の範囲】
【請求項１】
面状態が異なる複数の投影面に対して夫々任意の画質の像を投影するために必要とされる投影条件に関する投影条件情報を投影面毎に入力する投影条件情報入力手段と、
前記投影面毎に配置されて各投影面についてのＩＤ情報を記録した非接触情報記録媒体と、
前記各非接触情報記録媒体に記録されているＩＤ情報を読取る読取手段と、
前記投影条件情報入力手段により入力された投影条件情報を記憶し、記憶した投影条件情報に係る特定の投影面に関するＩＤ情報を前記読取手段により読取って前記記憶した投影条件情報と関連付けて保存する投影条件情報保存手段と、
前記投影条件情報に基づいて、前記特定の投影面に投影する画像データを補正する画像データ処理手段と、
前記画像データ処理手段により補正された画像データを前記投影面に投影する画像投影手段と、
前記各手段を制御する制御手段と、を備え、
前記制御手段は、前記読取手段により読取られたＩＤ情報に関連付けられた投影条件情報を前記投影条件情報保存手段より検索し、検索された投影条件情報に基づいて画像データを補正するように前記画像データ処理手段を制御することを特徴とするプロジェクタ。
【請求項２】
前記投影条件情報には、前記投影面の色の違いに応じて前記投影画像の投影色を変更するための情報が含まれることを特徴とする請求項１に記載のプロジェクタ。
【請求項３】
前記投影条件情報には、前記投影画像の輝度を調整するための情報が含まれることを特徴とする請求項１に記載のプロジェクタ。
【請求項４】
前記投影条件情報保存手段に保存されている投影条件情報の中から任意に選択可能な操作手段を備えていることを特徴とする請求項１乃至３の何れか一項に記載のプロジェクタ。
【発明の詳細な説明】
【技術分野】
【０００１】
本発明は、非接触電子タグ読取装置を搭載し、電子タグの情報に基づいて投影条件の設定を変更するプロジェクタに関するものである。
【背景技術】
【０００２】
プロジェクタは、会議、プレゼンテーション、又はビデオ鑑賞用と多くの場面で使用される。使用に際して、より見やすい映像を投影するために、例えば、スクリーン、黒板、色の付いた壁など投影面の色の違いに合わせて設定を変更したり、部屋の大きさや投影面の明暗に合わせて投影画像の明るさを変更するなど、複数の設定や調整を行う必要がある。このような設定は、プロジェクタを同じ場所に常設して使用する場合は一度でよいが、１つのプロジェクタを共用して、会議や打ち合わせのたびに持ち運んで複数の場所で使用する場合は、投影面、周辺の明るさ等々の環境が変わるたびに設定を変更する必要があり、大変煩わしかった。
この問題を解消するために、特許文献１には、クレードル（携帯情報機器等を直接規格コネクタ類に接続することなく充電やデータ転送、あるいは拡張を行う拡張機器のこと）に設定を保存することで、設定、調整の手間を掛けずにプロジェクタを利用する技術が開示されている。
【発明の概要】
【発明が解決しようとする課題】
【０００３】
しかし、特許文献１に開示されている従来技術は、複数の投影面を登録するには複数のクレードルが必要となり、プロジェクタを設置するたびに、設定が保存されたクレードルに変更する必要があり、煩わしいといった問題がある。
本発明は、かかる課題に鑑みてなされたものであり、投影面に応じた最適な設定を自動的に行なうことができるプロジェクタを提供することを目的とする。
【課題を解決するための手段】
【０００４】
本発明はかかる課題を解決するために、面状態が異なる複数の投影面に対して夫々任意の画質の像を投影するために必要とされる投影条件に関する投影条件情報を投影面毎に入力する投影条件情報入力手段と、前記投影面毎に配置されて各投影面についてのＩＤ情報を記録した非接触情報記録媒体と、前記各非接触情報記録媒体に記録されているＩＤ情報を読取る読取手段と、前記投影条件情報入力手段により入力された投影条件情報を記憶し、記憶した投影条件情報に係る特定の投影面に関するＩＤ情報を前記読取手段により読取って前記記憶した投影条件情報と関連付けて保存する投影条件情報保存手段と、前記投影条件情報に基づいて、前記特定の投影面に投影する画像データを補正する画像データ処理手段と、前記画像データ処理手段により補正された画像データを前記投影面に投影する画像投影手段と、前記各手段を制御する制御手段と、を備え、前記制御手段は、前記読取手段により読取られたＩＤ情報に関連付けられた投影条件情報を前記投影条件情報保存手段より検索し、検索された投影条件情報に基づいて画像データを補正するように前記画像データ処理手段を制御することを特徴とする。
【発明の効果】
【０００５】
本発明によれば、各投影面に応じた最適な投影条件情報をプロジェクタに保存しておくので、投影面が変化しても、当該投影面に最適な設定を自動的に行なうことができる。
【図面の簡単な説明】
【０００６】
【図１】カラープロジェクタの基本構成を示す図である。
【図２】本発明の実施形態に係るプロジェクタの内部構成を示すブロック図である。
【図３】投影条件情報保存部に保存する投影条件情報の構成について示す図である。
【図４】プロジェクタに投影条件情報を保存する動作を説明するフローチャートである。
【図５】プロジェクタに保存した投影条件情報を読み出して設定する動作を説明するフローチャートである。
【発明を実施するための形態】
【０００７】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１はカラープロジェクタの基本構成を示す図である。
投写型表示装置（液晶プロジェクター）５０は、光源５１と、光源５１の出射面に対向して配置された第１のレンズアレイ５２と、第１のレンズアレイ５２の出射側に配置された重畳レンズ５４とで構成される照明光学系を備えている。照明光学系から出射された光は、反射ミラー５５により反射されて、ダイクロイックミラー６１、６０と、反射ミラー６８とを含む色光分離光学系５３に入射される。さらに、入射側レンズ５９と、リレーレンズ５６と、反射ミラー５７、５８とを含む導光光学系を備えている。また、３枚のフィールドレンズ６６、６５、６２と、３枚の液晶ライトバルブ６３Ｒ、６３Ｇ、６３Ｂと、クロスダイクロイックプリズム６４と、投写レンズ６７と、を備えている。
反射ミラー５５は、重畳レンズ５４から射出された光を色光分離光学系５３の方向に反射する機能を有している。色光分離光学系５３は、２枚のダイクロイックミラー６１、６０により、重畳レンズ５４から射出される光を、赤、緑、青の３色の色光に分離する機能を有している。
【０００８】
第１のダイクロイックミラー６１は、重畳レンズ５４から射出される光のうち赤色光成分を透過させるとともに、青色光成分と緑色光成分とを反射する。第１のダイクロイックミラー６１を透過した赤色光は、反射ミラー６８で反射され、フィールドレンズ６６を通って赤光用の液晶ライトバルブ６３Ｒに達する。このフィールドレンズ６６は、重畳レンズ５４から射出された各部分光束をその中心軸（主光線）に対して平行な光束に変換する。他の液晶ライトバルブの前に設けられたフィールドレンズ６５、６２も同様である。
第１のダイクロイックミラー６１で反射された青色光と緑色光のうちで、緑色光は第２のダイクロイックミラー６０によって反射され、フィールドレンズ６５を通って緑光用の液晶ライトバルブ６３Ｇに達する。一方、青色光は、第２のダイクロイックミラー６０を透過し、導光光学系、すなわち、入射側レンズ５９を透過し、反射ミラー５７で反射し、リレーレンズ５６を透過して反射ミラー５８で反射し、さらに、フィールドレンズ６２を通って青色光用の液晶ライトバルブ６３Ｂに達する。
なお、青色光に導光光学系が用いられているのは、青色光の光路の長さが他の色光の光路の長さよりも長いため、光の拡散等による光の利用効率の低下を防止するためである。すなわち、入射側レンズ５９に入射した光束をそのまま、フィールドレンズ６２に伝えるためである。
【０００９】
３つの液晶ライトバルブ６３Ｒ、６３Ｇ、６３Ｂは、入射した光を、与えられた画像情報（画像信号）に従って変調する光変調手段としての機能を有している。これにより、３つの液晶ライトバルブ６３Ｒ、６３Ｇ、６３Ｂに入射した各色光は、与えられた画像情報に従って変調されて各色光の画像を形成する。３つの液晶ライトバルブ６３Ｒ、６３Ｇ、６３Ｂから射出された３色の変調光は、クロスダイクロイックプリズム６４に入射する。
クロスダイクロイックプリズム６４は、３色の変調光を合成してカラー画像を形成する色光合成部としての機能を有している。クロスダイクロイックプリズム６４には、赤光を反射する誘電体多層膜と、青光を反射する誘電体多層膜と、が４つの直角プリズムの界面に略Ｘ字状に形成されている。これらの誘電体多層膜によって３色の変調光が合成されて、カラー画像を投写するための合成光が形成される。クロスダイクロイックプリズム６４で生成された合成光は、投写レンズ６７の方向に射出される。投写レンズ６７は、この合成光を投写スクリーン上に投写する機能を有し、投写スクリーン上にカラー画像を表示する。
本発明では、後述する画像データ投影部１１が、各液晶ライトバルブ６３Ｒ、６３Ｇ、６３Ｂに対して画像データ処理部１０により処理された画像データを受けて液晶ライトバルブ上に作像することにより、カラー画像を投影するものである。
【００１０】
図２は本発明の実施形態に係るプロジェクタの内部構成を示すブロック図である。本実施形態のプロジェクタ１は、投影面１２ごとに設定された投影条件情報に基づいて投影面１２に画像を投影するプロジェクタであって、投影面１２に備えられた電子タグ（非接触情報記録媒体）１３に記録されているＩＤ情報を読取る非接触電子タグ読取部（以下、単に読取部と呼ぶ：読取手段）６と、ＩＤ情報に関連付けられた投影条件情報を保存する投影条件情報保存部（投影条件情報保存手段）５と、投影面１２に投影する画像データを補正する画像データ処理部（画像データ処理手段）１０と、画像データ処理部１０により補正された画像データを投影面１２に投影する画像データ投影部（画像投影手段）１１と、読取部６により読取られたＩＤ情報に関連付けられた投影条件情報を投影条件情報保存部５より検索し、検索された投影条件情報に基づいて画像を補正するように画像データ処理部１０を制御する投影条件情報制御部（以下、単に制御部と呼ぶ：制御手段）４と、投影条件情報の入力操作を行う操作パネル２と、操作パネル２からの情報を処理して制御部４及び電源部８に入力する入力情報処理部３と、プロジェクタに電源を供給する電源部８と、電源部８がＯＮしたことを検知して制御部４に通報する電源検知部７と、外部のＰＣ１５とのデータ授受を仲介する外部接続部９と、を備えている。尚、投影する画像データの元となるデータはＰＣ１５から供給される。また、読取部６は電磁波１４が電子タグ１３に届く距離まで近づけることができる。
【００１１】
また、本実施形態においては、投影条件情報の保存は、プロジェクタ本体で行う構成としたが、電子タグ１３及び読取部６に読み書き可能なものを使用すれば、プロジェクタ１にはＩＤ情報のみを保存し、投影条件情報を電子タグ１３に保存することも可能である。また、投影条件情報保存部５に保存されている投影条件情報の中から任意に選択可能な操作手段を備えるようにしても良い。即ち、電子タグ１３に記録されているＩＤ情報とは無関係に、投影条件情報保存部５の中から任意に投影条件情報を選択できるようにしても良い。
【００１２】
図３は、投影条件情報保存部に保存する投影条件情報の構成について示す図である。投影条件情報は、タグＩＤ２０と対応付けられたプロジェクタ１の各種設定で構成されている。プロジェクタの投影画像を、色つきの投影面に投影したときに、人が見て白い投影面に投影したときに近い色合いにするために、プロジェクタからの投影画像の色を変更するプロジェクタの壁色補正といった機能がある。
例えば、黒板モード２１、ランプパワー２２等があり、タグＩＤ「００１２０００１」の電子タグが備えられた投影面が白いスクリーンの場合は、壁色補正が不要であるので、黒板モード：切り、ランプパワー：低といった投影条件情報が保存されている。また、タグＩＤ「００１２０００２」の電子タグが備えられた投影面が黒い黒板の場合は、壁色補正が必要であるので、黒板モード：黒、ランプパワー：標準といった投影条件情報が保存されている。これらの情報は、制御部４により投影条件情報保存部５に保存される。この他に、投影面１２の色と投影画像の色が補色関係となるように、色に関する情報も保存するようにしても良い。例えば、緑色の黒板の場合は、赤系統の色で投影することにより、画像を見やすくすることができる。尚、投影条件情報には、投影画像の照度を調整するための投影条件情報が含まれる。また、投影条件情報保存部５には、投影条件が異なる複数の投影条件情報を保存する。
【００１３】
次に本実施形態に係るプロジェクタの投影条件情報を保存する動作と、投影条件情報を読み出してプロジェクタに設定する動作について説明する。
図４はプロジェクタに投影条件情報を保存する動作を説明するフローチャートである。このフローチャートでは、ユーザが行なう動作と、プロジェクタが行なう動作を分けて説明する。
まず、ユーザは、投影面１２に合わせた最適な設定を行なうため、投影面１２の色や部屋の状態（明るさ、広さ等）を観察して、最適な設定はどのようにすればよいかを検討して、投影条件情報を決定する（Ｓ１）。例えば、投影面１２が黒板や色つきの場合は、壁色補正を行なうように設定する。投影条件情報が決定すると、投影面１２の適所にＩＤ情報が記憶されている電子タグ１３を貼る（Ｓ２）。これにより、当該投影面１２は、電子タグ１３に記録されているＩＤ情報の投影面となる。次に、決定した投影条件情報を操作パネル２から入力する（Ｓ３）。ユーザの操作はこれで終了する。
【００１４】
ユーザにより入力された投影条件情報は、入力情報処理部３により処理されて、制御部４に伝えられる（Ｓ４）。制御部４は、それにより、読取部６に対して電子タグ１３のＩＤ情報を読取るための電磁波１４を放射するように指令する。電磁波１４は、電子タグ１３により受信されると、そのエネルギーを電源として電子タグ１３が活性化して情報の授受を行なう。この結果、電子タグ１３に記録されているＩＤ情報を読取部６により読取る（Ｓ５）。そしてＩＤ情報が正しく読み取られると（Ｓ６でＹ）、制御部４は、そのＩＤ情報を操作パネル２より入力した投影条件情報と関連付けて投影条件情報保存部５に保存する（Ｓ７）。これにより、ＩＤ情報と投影条件情報が関連付けられて保存される。一方、ステップＳ６で電子タグ１３のＩＤ情報が正しく読取られない場合（Ｓ６でＮ）は、動作を終了して、電子タグ１３を良品と交換する。
【００１５】
図５は投影条件情報保存部に保存した投影条件情報を読み出してプロジェクタを設定する動作を説明するフローチャートである。このフローチャートでは、ユーザが行なう動作と、プロジェクタが行なう動作を分けて説明する。
まず、ユーザは、操作パネル２から電源部８をＯＮする（Ｓ１１）。それにより、制御部４は、読取部６に対して電子タグ１３のＩＤ情報を読取るための電磁波１４を放射するように指令する。電磁波１４は、電子タグ１３により受信されると、そのエネルギーを電源として電子タグ１３が活性化して情報の授受を行なう。この結果、電子タグ１３に記録されているＩＤ情報を読取部６により読取る（Ｓ１２）。そしてＩＤ情報が正しく読み取られると（Ｓ１３でＹ）、制御部４は、投影条件情報保存部５に、読み出したＩＤ情報と同じ電子タグ（登録済みの電子タグ）があるか否かを検索する（Ｓ１４）。登録済みの電子タグがあると（Ｓ１４でＹ）、そのＩＤ情報に関連付けられた投影条件情報に基づいて画像データ処理部１０により画像データを補正して、画像データ投影部１１により補正された画像を投影面１２に投影する（Ｓ１５）。一方、ステップ１３でＩＤ情報が正しく読取れない場合（Ｓ１３でＮ）、又は、登録済みの電子タグが無い場合（Ｓ１４でＮ）は、そこで終了する。
【００１６】
このように、各投影面１２の環境に基づいて最適な投影条件情報を作成し、その投影面１２に備えられた電子タグ１３のＩＤ情報と関連付けて保存しておくため、投影面１２の環境が変化しても、電子タグ１３のＩＤ情報から自動的に投影条件情報を検索して、プロジェクタ１を投影面１２に最適な条件で動作させることができる。
【符号の説明】
【００１７】
１  プロジェクタ、２  操作パネル、３  入力情報処理部、４  投影条件情報制御部、５  投影条件情報保存部、６  非接触電子タグ読取部、７  電源検知部、８  電源部、９  外部接続部、１０  画像データ処理部、１１  画像データ投影部、１２  投影面、１３  電子タグ、１４  電磁波、１５  ＰＣ、２０〜２２  投影条件情報、５０  投写型表示装置（液晶プロジェクター）、５１  光源、５２  第１のレンズアレイ、５３  色光分離光学系、５４  重畳レンズ、５５  反射ミラー、５６  リレーレンズ、５７、５８  反射ミラー、５９  入射側レンズ、６０、６１  ダイクロイックミラー、６２  フィールドレンズ、６３Ｒ、６３Ｇ、６３Ｂ  液晶ライトバルブ、６４  クロスダイクロイックプリズム、６６、６５、６７  投写レンズ、６８  反射ミラー
【先行技術文献】
【特許文献】
【００１８】
【特許文献１】特開２０１１−０４９８６５公報
【図１】
2013101207.tif 000003
【図２】
2013101207.tif 000004
【図３】
2013101207.tif 000005
【図４】
2013101207.tif 000006
【図５】
2013101207.tif 000007